(57)【要約】【課題】  本発明は、ユーザにより予め設定された時間に、ユーザに対してユーザが視聴他の処理を実行する可能性のある番組を通知することが可能な受信装置及び番組通知方法を提供する。【解決手段】  受信装置１は、予め通知時間等の番組通知に関する各種設定を実行することにより、別途抽出されたユーザ登録情報に関連するお気に入り番組情報やおすすめ番組情報について、その開始時刻よりも早い時刻（ユーザにより予め設定された時間だけ早い時刻）にユーザに対して通知する。また、この通知の際に、通知した番組情報に対してユーザが実行する可能性のある指示情報を共に選択可能に通知する。【選択図】  図１
2007274164.tif 000002
【特許請求の範囲】
【請求項１】
放送番組の放送開始終了時刻情報を含む電子番組情報を受信する受信手段と、
ユーザの指示あるいは指示にかかわらず抽出されたユーザに対して推薦する番組情報を取得する取得手段と、
この取得手段により取得した前記番組情報の開始時刻よりも早い時刻に、前記番組情報と前記番組情報に対して実行される可能性のあるユーザ操作候補を通知する通知手段と、
を有することを特徴とする受信装置。
【請求項２】
ユーザの指示に基づいて前記通知手段による通知を利用するか否かの情報を予め登録する登録手段と、
この登録手段にて登録された情報に基づいて通知を利用するか否かを判定する利用判定手段と、
を有し、
この利用判定手段により利用すると判定されると、前記通知手段による通知を実行することを特徴とする請求項１記載の受信装置。
【請求項３】
前記取得手段により取得された番組情報のうちユーザの指示に基づいて前記通知手段による通知を利用するおすすめ度の番組情報が存在するかを判定するおすすめ度判定手段を有し、
このおすすめ度判定手段により存在すると判定されると、前記通知手段による通知を実行することを特徴とする請求項１または請求項２のいずれか記載の受信装置。
【請求項４】
ユーザの指示に基づいて前記通知手段による通知を実行する時間情報を予め登録する登録手段と、
前記取得手段により取得された番組情報と前記登録手段にて登録された時間情報とに基づいて番組情報を通知する時刻であるかを判定する時刻判定手段と、
この時刻判定手段により通知時刻であると判定されると、前記通知手段による通知を実行することを特徴とする請求項１乃至請求項３のいずれか記載の受信装置。
【請求項５】
前記通知手段は、前記番組情報とともに通知する前記ユーザ操作候補として少なくともより詳しい番組説明の表示を操作する操作候補、通知する番組情報の開始時間に当該番組情報を表示する操作候補、通知する番組情報の開始時間に録画を開始する操作候補、通知する番組情報のチャンネルへ変更する操作候補、通知する番組情報を視聴しないことを示す操作候補、あるいは通知する番組情報の開始時刻に再通知する操作候補のいずれかを通知することを特徴とする請求項１乃至請求項４のいずれか記載の受信装置。
【請求項６】
前記時刻判定手段により通知時刻であると判定された番組情報が複数存在するかを判定する複数判定手段と、
この複数判定手段により複数存在すると判定されると、前記通知手段によりおすすめ度の高い番組情報に関する通知を実行することを特徴とする請求項４記載の受信装置。
【請求項７】
前記通知手段により通知される番組情報が既に録画予約されているかを判定する予約判定手段と、
この予約判定手段により録画予約されていると判定されると、前記通知手段による通知を停止することを特徴とする請求項１乃至請求項６記載の受信装置。
【請求項８】
放送番組の放送開始終了時刻情報を含む電子番組情報を受信する受信手段を有する受信装置における番組通知方法において、
ユーザの指示あるいは指示にかかわらず抽出されたユーザに対して推薦する番組情報を取得するステップと、
この取得ステップにより取得した前記番組情報の開始時刻よりも早い時刻に、前記番組情報と前記番組情報に対して実行される可能性のあるユーザ操作候補を通知するステップと、
を有することを特徴とする番組通知方法。
【請求項９】
ユーザの指示に基づいて番組情報の通知を利用するか否かの情報を予め登録する登録ステップと、
この登録ステップにて登録された情報に基づいて通知を利用するか否かを判定するステップと、
を有しており、
前記判定ステップにより利用すると判定されると、前記通知ステップによる通知を実行するよう制御することを特徴とする請求項８記載の番組通知方法。
【請求項１０】
前記取得ステップにより取得された番組情報のうちユーザの指示に基づいて番組情報の通知を利用するおすすめ度の番組情報が存在するかを判定するステップを有しており、
前記判定ステップにより存在すると判定されると、前記通知ステップによる通知を実行するよう制御することを特徴とする請求項８乃至請求項９のいずれか記載の番組通知方法。
【請求項１１】
ユーザの指示に基づいて番組情報の通知を実行する時間情報を予め登録するステップと、
前記取得ステップにより取得された番組情報と前記登録ステップにて登録された時間情報とに基づいて番組情報を通知する時刻であるかを判定するステップと、
を有しており、
前記判定手段により通知時刻であると判定されると、前記通知ステップによる通知を実行するよう制御することを特徴とする請求項８乃至請求項１０のいずれか記載の番組通知方法。
【請求項１２】
前記通知ステップは、前記番組情報とともに通知する前記ユーザ操作候補として少なくともより詳しい番組説明の表示を操作する操作候補、通知する番組情報の開始時間に当該番組情報を表示する操作候補、通知する番組情報の開始時間に録画を開始する操作候補、通知する番組情報のチャンネルへ変更する操作候補、通知する番組情報を視聴しないことを示す操作候補、あるいは通知する番組情報の開始時刻に再通知する操作候補のいずれかを通知することを特徴とする請求項８乃至請求項１１のいずれか記載の番組通知方法。
【請求項１３】
前記時刻判定ステップにより通知時刻であると判定された番組情報が複数存在するかを判定するステップと、
この複数判定ステップにより複数存在すると判定されると、前記通知ステップによりおすすめ度の高い番組情報に関する通知を実行するよう制御することを特徴とする請求項１１記載の番組通知方法。
【請求項１４】
前記通知ステップにより通知される番組情報が既に録画予約されているかを判定するステップと、
この予約判定ステップにより録画予約されていると判定されると、前記通知ステップによる通知を停止するよう制御することを特徴とする請求項８乃至請求項１３記載の番組通知方法。
【発明の詳細な説明】
【技術分野】
【０００１】
本発明は、ユーザにより予め設定された時間に、ユーザに対して、ユーザが視聴他の処理を実行する可能性のある番組を通知する受信装置及び番組通知方法に関する。
【背景技術】
【０００２】
従来、電子番組表の番組情報を受信し、ユーザの嗜好に合った番組群を自動的に探し、おすすめ番組の結果表示や自動録画を行う等の機能を提供する受信装置が実現されている。更に、ユーザによる番組の視聴中に、別のチャンネルでおすすめ番組が開始されたときに自動的に２画面表示を行い、２画面表示された番組のうちユーザが選択した番組を１画面で視聴可能とする受信装置が考えられている（例えば、特許文献１参照）。
【特許文献１】特開２００５−１９２０６２公報
【発明の開示】
【発明が解決しようとする課題】
【０００３】
しかしながら、従来の装置は、おすすめ番組が開始された後にユーザにその番組の存在を通知するものである。従って、従来の装置の通知を受けてから、ユーザがおすすめ番組の視聴を開始する場合、ユーザは番組の開始部分を視聴できないという不都合が生じる。また、従来の装置の通知を受けてから、ユーザがおすすめ番組の録画を希望した場合、既に番組は開始しているので、途中からしか録画できないという不都合が生じる。
【０００４】
本発明は、以上の点に鑑みなされたもので、ユーザにより予め設定された時間に、ユーザに対してユーザが視聴他の処理を実行する可能性のある番組を通知することが可能な受信装置及び番組通知方法を提供することを目的とする。
【課題を解決するための手段】
【０００５】
上記目的を達成するために、本発明の受信装置は、放送番組の放送開始終了時刻情報を含む電子番組情報を受信する受信手段と、ユーザの指示あるいは指示にかかわらず抽出されたユーザに対して推薦する番組情報を取得する取得手段と、この取得手段により取得した前記番組情報の開始時刻よりも早い時刻に、前記番組情報と前記番組情報に対して実行される可能性のあるユーザ操作候補を通知する通知手段と、を有することを特徴とする。
【０００６】
上記目的を達成するために、本発明の番組通知方法は、放送番組の放送開始終了時刻情報を含む電子番組情報を受信する受信手段を有する受信装置における番組通知方法において、ユーザの指示あるいは指示にかかわらず抽出されたユーザに対して推薦する番組情報を取得するステップと、この取得ステップにより取得した前記番組情報の開始時刻よりも早い時刻に、前記番組情報と前記番組情報に対して実行される可能性のあるユーザ操作候補を通知するステップと、を有することを特徴とする。
【発明の効果】
【０００７】
本発明によれば、ユーザにより予め設定された時間に、ユーザに対してユーザが視聴他の処理を実行する可能性のある番組を通知することができる。
【発明を実施するための最良の形態】
【０００８】
以下、この発明の実施の形態について、図面を参照して詳細に説明する。図１は、本実施の形態に係る受信装置の主要構成を示すブロック図である。
【０００９】
図１の受信装置は、装置本体１の他に、音響の出力装置としてのスピーカ２と、映像の出力装置としてのディスプレイ３と、放送波等の無線データ受信用のアンテナ４と、本装置に対するユーザの入力操作に用いられるユーザ入力装置５とを備えて構成される。受信装置１は、更に少なくとも１台以上の外部装置６と、サーバ７に接続されている。
【００１０】
アンテナ４は、ＴＶ放送や衛星放送に加えて、ＥＰＧ（Ｅｌｅｃｔｒｏｎｉｃ  Ｐｒｏｇｒａｍ  Ｇｕｉｄｅ：電子番組表）等の画像情報を受信することができる。ユーザ入力装置５は、赤外線や簡易無線により受信装置１と通信を行うことができる。ユーザ入力装置５は、例えばマウス、キーボード、タッチパネル、或いはリモートコントロール装置を用いて実現される。
【００１１】
外部装置６は、映像や音響データをＤＶＤ、磁気テープ（ビデオテープ）等の蓄積メディアに蓄積し、これを後に再生することのできるＤＶＤ機器（ＤＶＤビデオレコーダ）、ＶＴＲ機器からなる。サーバ７は、予めユーザ登録されている受信装置１に対して、ユーザによる過去の視聴番組情報や録画番組情報に基づいて、ＥＰＧデータに含まれる各番組に対してユーザの嗜好の度合い（おすすめ度）を判定し、ユーザに対して視聴あるいは録画を奨励するおすすめ番組情報を自動的に抽出して提供するものである。
【００１２】
装置本体１は、受信部１１と、分離部１２と、デコード処理部１３と、出力制御部１４と、表示管理部１５と、入力管理部１６と、データ処理部１７と、外部装置制御部１８と、記憶装置１９と、通信部２０を備えている。
【００１３】
受信部１１は、アンテナ４等を介して受信された放送波から、必要なデータのみを受信するチューナ（図示せず）を内蔵する。なお、上記放送波は、地上波、衛星放送波（ＣＳ放送波、ＢＳ放送波）、有線放送波等のいずれであってもよい。分離部１２は、受信部１１にて取得されたデータを映像データと、音響データと、番組情報に関するデータである電子番組ガイドデータ（以下、ＥＰＧデータと称する）とに分離する。
【００１４】
ＥＰＧデータは現在時刻から１日分、或いは一週間分程度の各放送チャンネルの番組に関する情報であり、通常の映像、音響データと共に頻繁に送られてくる。ＥＰＧデータは、番組名、ジャンル、開始時刻、終了時刻、番組内容（あらすじなど）、送信者からの番組に対するキーワード（出演者、シリーズ名、曲名など）、番組の静止画（代表画面など）等の内容を持つ。
【００１５】
上記ジャンルには、例えば、洋画、邦画、スポーツ１（球技系）、スポーツ２（球技系以外）、音楽、ドラマ・演劇、ニュース・報道、バラエティ、レジャー・趣味、こども向け・教育、教養・ドキュメンタリー、海外放送、アダルト、デジタルラジオなどがある。
【００１６】
分離部１２にて分離されたＥＰＧデータはデータ処理部１７に渡される。データ処理部１７はＥＰＧデータの構造解析を行い、その解析結果をハードディスク装置等の記憶装置１９に蓄積する。この記憶装置１９に蓄積されるＥＰＧデータは、放送波から新たなＥＰＧデータを取得する毎に最新のものに更新される。
【００１７】
また、分離部１２にて分離された映像データと音響データはそのままデコード処理部１３に渡される。この映像データと音響データは符号化データである。そこでデコード処理部１３は、分離部１２からの映像データと音響データのデコード処理を行い、デコード（復号）された映像データと音響データを出力制御部１４に渡す。
【００１８】
出力制御部１４は、デコード処理部１３によりデコードされた音響データに基づいてスピーカ２による音響出力を行う。また出力制御部１４は、デコードされた映像データに基づいて、内蔵の表示管理部１５によりディスプレイ３に映像を表示出力する。
【００１９】
入力管理部１６は、ユーザ入力装置５からの入力情報を取得し、その内容に応じて、表示管理部１５或いは外部装置制御部１８等に指示を出す。データ処理部１７は、ユーザ入力装置５を用いたユーザからの指示に従って、視聴（再生）予約処理、録画予約処理、予約番組一覧処理、予約取り消し処理、番組検索処理等を司る。
【００２０】
更に、データ処理部１７は、ユーザ入力装置５を用いてユーザによって入力（登録）されたキーワード等の情報に基づいて、ＥＰＧデータに含まれる各番組に対してキーワード検索を実行し、キーワード該当番組情報（以下、お気に入り番組情報）を抽出／取得するものである。
【００２１】
また、データ処理部１７は、外部装置制御部１８や通信部２０を介して、サーバ７からのおすすめ番組情報の取得を指示制御するものである。このようにデータ処理部１７は、サーバ７からのおすすめ番組情報および自身で抽出するお気に入り番組情報（以下、２つあわせて推薦番組と称す）を取得・保持するものである。
【００２２】
外部装置制御部１８は、データ処理部１７の指示制御のもと、外部装置６の制御、外部装置６（に装着されている記録媒体）からの情報取得を行う。通信部２０は、データ処理部１７の指示制御のもと、サーバ７へユーザの視聴・録画番組情報を提供するとともに、サーバ７からおすすめ番組情報を取得する。
【００２３】
外部装置制御部１８は、例えばｌＥＥＥ１３９４インタフェース及びアダプタを備えた外部インタフェースであり、当該外部装置制御部１８には複数の外部装置６がｌＥＥＥ１３９４に準拠したバス型のネットワーク（ｌＥＥＥ１３９４バスネットワーク）を介して接続可能なようになっている。
【００２４】
受信部１１、分離部１２、デコード処理部１３、出力制御部１４、入力管理部１６、データ処理部１７、外部装置制御部１８、記憶装置１９、及び通信部２０はバスＢＵＳに接続されている。バスＢＵＳは、ＶＭＥｂｕｓ，Ｍｕｌｔｉｂｕｓ，Ｆｕｔｕｒｅｂｕｓなどのバックプレーン・バスである。
【００２５】
このような構成により、受信装置１は、ユーザに対して、ユーザによって登録されたキーワード等のユーザ登録情報に基づき、ＥＰＧデータから抽出されたユーザ登録情報に関連する番組情報を提供することができる。また、受信装置１は、ユーザに対して、サーバ７にて自動的に抽出されたユーザの嗜好に合ったおすすめ番組情報を提供することができる。
【００２６】
本実施の形態においては、受信装置１は、後述する図２に示すような画面を用いて予め通知時間等の番組通知に関する各種設定を実行することにより、このように抽出された推薦番組情報について、その開始時刻よりも早い時刻（ユーザにより予め設定された時間だけ早い時刻）にユーザに対して通知するものである。また、この通知の際に、通知した番組情報に対してユーザが実行する可能性のある指示情報を共に選択可能に通知するものである。
【００２７】
これにより、ユーザは、視聴あるいは録画等の処理を実行する可能性のある番組情報を逃すことなく、その存在を知ることができ、かつ視聴あるいは録画等の処理を実行する際に、欠けることなく番組情報に対して処理を実行することができる。また、ユーザ自ら検索等を実行しなくても、番組の存在を確認でき、予約録画等の処理に容易かつスムーズに対応できる。
【００２８】
図２は、上記推薦番組情報をユーザに対して提示するための機能の設定画面を示す図である。この番組提示機能設定画面は、図２に示すように、データ処理部１７により作成され、ディスプレイ３に表示される。
【００２９】
本実施の形態においては、番組提示機能設定画面は、利用設定項目３１、利用ランク項目３２および提示時刻設定項目３３を有しており、更に決定キー／終了キー３４を有する。ユーザは、ユーザ入力装置５を用いて、これらの項目３１〜３３やキー３４を選択することができる。
【００３０】
利用設定項目３１は、この番組提示機能を利用するか、利用しないかを選択するためのものである。利用ランク項目３２は、この番組提示機能を利用する場合に、利用対象とする番組のランク（Ｓ／Ａ／Ｂ）を選択するためのものである。番組のランクは、データ処理部１７および／またはサーバ７にて推薦番組情報が抽出される際に、キーワード等の抽出条件にどれだけ合致しているか（おすすめ度）を示すものである。Ｓランクが抽出条件との一致度が高く、Ｂランクは条件との一致度が低いことを示す。
【００３１】
提示時刻設定項目３３は、提示する番組の開始時間よりもどれ位早い時間に提示（通知）するのかを選択するためのものである。本実施の形態では、提示する番組の開始時間よりも５分／１０分／１５分／３０分だけ早い時間に提示（通知）するよう選択することができる。
【００３２】
なお、提示時間については、ユーザにより任意の数字を入力あるいは選択することも可能である。また、予め決められた時間だけ早い時間（たとえば１０分前）に提示（通知）するように決められていてもよい。「決定」キー３４は、上記項目３１〜３３にて選択した内容を確定するための指示キーである。「終了」キー３４は、一連の設定処理を終了するための指示キーである。
【００３３】
図２に示す設定画面においては、この番組提示機能を「利用する」旨選択されている。また、この番組提示機能を利用する対象番組ランクとして「Ａランク」と「Ｂランク」が選択されている。このような場合、Ｓランクは別機能により自動的に記憶装置１９または外部装置６にて録画するよう設定されていることが多い。また、図２に示す設定画面おいては、提示する番組の開始時間よりも５分早い時間に提示（通知）するよう選択されている。
【００３４】
番組提示機能設定画面の表示指定は、ユーザの操作によりユーザ入力装置５から入力することができる。ユーザの操作によりユーザ入力装置５の所定のキーが操作されると、その操作内容がユーザ入力装置５から入力管理部１６を介して表示管理部１５に伝えられる。すると表示管理部１５は、データ処理部１７に対して番組提示機能設定画面を表示するように要求を出す。
【００３５】
データ処理部１７は、図示せぬ内部メモリに記憶された番組提示機能設定画面に関する情報を表示管理部１５に提供する。表示管理部１５は、データ処理部１７により提供された番組提示機能設定画面に関する情報をもとに番組提示機能設定画面をディスプレイ３に表示する。これにより、ユーザは、ユーザ入力装置５を用いて、図２に示す番組提示機能設定画面に対して設定入力を行うことができる。
【００３６】
図３は、ディスプレイ３に表示された通知画面４０を示す図である。この通知画面４０はユーザがディスプレイ３を使用して視聴している場合に表示されるものである。この通知画面４０は、ユーザが視聴している映像とは別の領域に表示された２画面（あるいは多画面）表示であってもよい。また、この通知画面４０は、ユーザが視聴している映像の一部に重ねて表示してもよい。
【００３７】
通知画面４０は、図３に示すように、アナウンス情報４２、番組情報４３、および処理選択項目４４からなる。アナウンス情報４２は、本実施の形態では「以下の推薦番組がまもなく開始されます。」のように、通知している番組が今は放送されておらず、これから放送されるものであることをユーザに知らせる内容としている。番組情報４３は、本実施の形態では、チャンネル情報、時間情報、番組名からなる。
【００３８】
処理選択項目４４は、本実施の形態では、「番組説明表示」ボックス４４ａ、「視聴予約」ボックス４４ｂ、「録画予約」ボックス４４ｃ、「選局」ボックス４４ｄ、「無視」ボックス４４ｅ、および「開始時に再通知」ボックス４４ｆからなる。
【００３９】
受信装置１は、ユーザにより「番組説明表示」ボックス４４ａが選択されると、ディスプレイ３に、通知している番組情報に関する説明画面を表示するようになっている。また、「視聴予約」ボックス４４ｂが選択されると、通知している番組情報の開始時間に、ディスプレイ３に通知している番組が表示されるように視聴予約なる機能が設定される。
【００４０】
また、「録画予約」ボックス４４ｃが選択されると、通知している番組情報の開始時間に、通知している番組を録画するために、ディスプレイ３に録画予約の設定画面を表示する。また、「選局」ボックス４４ｄが選択されると、ディスプレイ３に表示しているチャンネルを、通知している番組情報のチャンネルに変更する。また、「無視」ボックス４４ｅが選択されると、ディスプレイ３に表示している通知画面４０を非表示とする。また、「開始時に再通知」ボックス４４ｆが選択されると、通知している番組情報の開始時刻に再度通知するよう設定される。
【００４１】
図４は、受信装置１における番組通知方法を示すフローチャート図である。受信装置１のデータ処理部１７は、サーバ７からおすすめ番組に関する情報を取得し、あるいはデータ処理部１７自身にて予め設定されたキーワード等に基づいてお気に入り番組に関する情報を抽出することにより、推薦番組情報を取得する（ステップＳＴ５）。
【００４２】
次に、データ処理部１７は、記憶装置１９にて記憶されている各種設定情報に基づき、番組提示機能の利用が設定されているかを確認する（ステップＳＴ６）。このＳＴ６の確認の結果、「利用する」と設定されていると判定すると（ステップＳＴ７のＹｅｓ）、データ処理部１７は、利用すると登録されたランクに該当するおすすめ度の推薦番組情報が存在するかを判定する（ステップＳＴ８）。
【００４３】
このＳＴ８の判定の結果、登録されたランク（たとえば、Ｂランク）の番組情報が存在すると判定されると（ＳＴ８のＹｅｓ）、データ処理部１７は、現在時刻を監視し、推薦番組情報の開始時刻と、予め設定された提示時刻（何分前か）とに基づいて、提示時刻となったかを判定する（ステップＳＴ９）。
【００４４】
このＳＴ９の判定の結果、提示時刻であると判定されると（ＳＴ９のＹｅｓ）、データ処理部１７は、ＳＴ９にて提示時刻であると判定された推薦番組情報が複数（少なくとも２つ以上）あるかを確認する。そして、複数存在すると確認された場合には、データ処理部１７は、利用ランクの高い推薦番組について選択し、次の処理へと進む（ステップＳＴ１０）。
【００４５】
次に、データ処理部１７は、ＳＴ１０にて選択された推薦番組が既に録画予約されているかを判定する（ステップＳＴ１１）。ＳＴ１１の判定の結果、録画予約されていると判定されると（ＳＴ１１のＹｅｓ）、データ処理部１７は、ＳＴ１０の処理へと進み、当該録画予約されている推薦番組を除外した状態で、再度確認・選択処理を実行する。
【００４６】
ＳＴ１１の判定の結果、録画予約されていないと判定されると（ＳＴ１１のＮｏ）、次にディスプレイ３に映像情報が表示されているかを判定する（ステップＳＴ１２）。このＳＴ１２の判定により、たとえばユーザがテレビ放送を視聴していたり、録画内容を再生している等、ディスプレイ３に映像情報が表示されていると判定されると（ＳＴ１２のＹｅｓ）、データ処理部１７は、通知する時刻となった番組情報と通知画面４０に関する情報を表示管理部１５に提供する。表示管理部１５は、番組通知画面４０をディスプレイ３に表示する（ステップＳＴ１３）。
【００４７】
ＳＴ１３にて表示された通知画面４０において、ユーザによりユーザ入力装置５を用いて「番組説明表示」ボックス４４ａが選択されると（ステップＳＴ１４のＹｅｓ）、入力管理部１６から表示管理部１５に伝えられる。すると表示管理部１５は、データ処理部１７に対して番組説明に関する画面を表示するように要求を出す。
【００４８】
データ処理部１７は、記録装置１９に格納されたＥＰＧデータより該当する番組の説明情報を読み出し、表示管理部１５に提供する。表示管理部１５は、データ処理部１７により提供された番組説明に関する画面をディスプレイ３に表示する（ステップＳＴ２１）。
【００４９】
ユーザによりユーザ入力装置５を用いて「視聴予約」ボックス４４ｂが選択されると（ステップＳＴ１５のＹｅｓ）、入力管理部１６から表示管理部１５に伝えられる。すると表示管理部１５は、データ処理部１７に対して視聴予約に関する処理を実行するように要求を出す。データ処理部１７は、内部メモリに視聴予約情報を記憶し、通知している番組情報の開始時間に、ディスプレイ３に通知している番組を表示するよう設定する（ステップＳＴ２２）。
【００５０】
ユーザによりユーザ入力装置５を用いて「録画予約」ボックス４４ｃが選択されると（ステップＳＴ１６のＹｅｓ）、入力管理部１６から表示管理部１５に伝えられる。すると表示管理部１５は、データ処理部１７に対して録画予約画面を表示するように要求を出す。データ処理部１７は、記録装置１９に格納された録画予約画面情報を読み出し、表示管理部１５に提供する。表示管理部１５は、データ処理部１７により提供された録画予約画面をディスプレイ３に表示して、録画予約処理へと進む（ステップＳＴ２３）。
【００５１】
ユーザによりユーザ入力装置５を用いて「選局」ボックス４４ｄが選択されると（ステップＳＴ１７のＹｅｓ）、入力管理部１６から表示管理部１５に伝えられる。すると表示管理部１５は、ディスプレイ３に表示しているチャンネルを、通知している番組情報のチャンネルに変更する（ステップＳＴ２４）。
【００５２】
ユーザによりユーザ入力装置５を用いて「無視」ボックス４４ｅが選択されると（ステップＳＴ１８のＹｅｓ）、入力管理部１６から表示管理部１５に伝えられる。すると表示管理部１５は、録画等の処理を実行せずに、通知画面４０の表示を終了する（ステップＳＴ２５）。
【００５３】
ユーザによりユーザ入力装置５を用いて「開始時に再通知」ボックス４４ｆが選択されると（ステップＳＴ１９のＹｅｓ）、入力管理部１６から表示管理部１５に伝えられる。すると表示管理部１５は、データ処理部１７に対して番組の開始時刻に再度通知するよう設定するよう要求を出す。データ処理部１７は、内部メモリに番組の開始時刻を記憶し、通知している番組情報の開始時刻に再度通知するよう設定する（ステップＳＴ２６）。そして、ＳＴ９の判断処理へと進む。
【００５４】
本実施の形態においては、受信装置１は、設定画面を用いて予め通知時間等の番組通知に関する各種設定を実行することにより、このように抽出された推薦番組情報について、その開始時刻よりも早い時刻（それもユーザにより予め設定された時間だけ早い時刻）にユーザに対して通知するものである。また、この通知の際に、通知した番組情報に対してユーザが実行する可能性のある指示情報を共に選択可能に通知するものである。
【００５５】
これにより、ユーザは、視聴あるいは録画等の処理を実行する可能性のある番組情報を逃すことなく、その存在を知ることができ、かつ視聴あるいは録画等の処理を実行する際に、欠けることなく番組情報に対して処理を実行することができる。また、ユーザ自ら検索等を実行しなくても、番組の存在を確認でき、予約録画等の処理に容易かつスムーズに対応できる。
【図面の簡単な説明】
【００５６】
【図１】本発明の一実施形態に係る受信装置の主要構成を示すブロック図。
【図２】番組情報をユーザに対して提示するための機能の設定画面を示す図。
【図３】ディスプレイ３に表示された通知画面４０を示す図。
【図４】受信装置１における番組通知方法を示すフローチャート図。
【符号の説明】
【００５７】
１    受信装置
３    ディスプレイ
５    ユーザ入力装置
６    外部装置
７    サーバ
１１    受信部
１３    デコーダ処理部
１５    表示管理部
１６    入力管理部
１７    データ処理部
１８    外部装置制御部
１９    記憶装置
２０    通信部
【図１】
2007274164.tif 000003
【図２】
2007274164.tif 000004
【図３】
2007274164.tif 000005
【図４】
2007274164.tif 000006